(57)【要約】【課題】  シート収納手段を、操作性を損なうことなく確実に正規の装着位置に自動装着することのできるシート給送装置及び画像形成装置を提供する。【解決手段】  シート収納手段を装置本体にセットする際に、シート収納手段に設けられ、シート積載板３３を押し上げてシート積載板３３に積載されたシートをシート給送手段に圧接させるためのリフト手段３０Ａを、装置本体に設けられ、リフト手段３０Ａに係合して駆動する加圧駆動手段３０に係合させ、リフト手段３０Ａに伝達される加圧駆動手段３０の駆動力により、シート積載板３３を押し上げ、かつシート収納手段を装着位置の手前の所定位置から装着位置まで移送する移送力を発生させる。【選択図】      図１
2006298589.tif 000002
【特許請求の範囲】
【請求項１】
シートを積載して昇降可能なシート積載板を有し、装置本体に対して着脱可能に設けられたシート収納手段を備えるシート給送装置において、
前記シート収納手段の上方に設けられ、前記シート収納手段に収納されたシートを給送するシート給送手段と、
前記シート収納手段に設けられ、前記シート積載板を押し上げて前記シート積載板に積載されたシートを前記シート給送手段に圧接させるためのリフト手段と、
前記装置本体に設けられ、前記リフト手段に係合して駆動する加圧駆動手段と、
を備え、
前記シート収納手段を前記装置本体にセットする際に、前記リフト手段を前記加圧駆動手段に係合させ、前記リフト手段に伝達される前記加圧駆動手段の駆動力により前記シート積載板を押し上げ、かつ前記シート収納手段を装着位置の手前の所定位置から前記装着位置まで移送する移送力を発生させることを特徴とするシート給送装置。
【請求項２】
前記装置本体に設けられ、前記装置本体にセットされるシート収納手段と前記装着位置の手前で係合して前記シート収納手段を前記装着位置まで引き込む引き込み駆動手段と、
を備え、
前記シート収納手段を前記装置本体にセットする際に、前記リフト手段に伝達される前記加圧駆動手段の駆動力により発生する移送力と、前記引き込み駆動手段の引き込み力とにより前記シート収納手段を前記装着位置まで移送することを特徴とする請求項１記載のシート給送装置。
【請求項３】
前記加圧駆動手段及び前記リフト手段は、前記加圧駆動手段の駆動を前記リフト手段に伝達するギアをそれぞれ有し、該ギアはハスバギアであり、該ハスバギアのネジレ角により生じる力により前記シート収納手段を移送することを特徴とする請求項１又は２記載のシート給送装置。
【請求項４】
前記引き込み駆動手段は、回動可能な駆動部材と、一端が支軸により装置本体に支持され、他端が支軸により前記駆動部材に支持されたトグルバネと、を備え、
前記トグルバネの両端をそれぞれ支持する支軸を結ぶ支軸線が前記駆動部材の回動支点と一致する中立状態を境にして、前記支軸線が回動支点の一方側に位置している状態から前記支軸線が前記中立状態を超えて他方側に移動した後の前記トグルバネの弾性力を用いた引き込み力により前記シート収納手段を移送することを特徴とする請求項２記載のシート給送装置。
【請求項５】
前記シート収納手段を移送するとき、前記シート収納手段の移動速度を減速させるダンパーを設けたことを特徴とする請求項２記載のシート給送装置。
【請求項６】
前記請求項１乃至請求項５のいずれか１項に記載のシート給送装置と、
前記シート給送装置から送り出されるシートに画像を形成する画像形成部と、
を備えたことを特徴とする画像形成装置。
【発明の詳細な説明】
【技術分野】
【０００１】
本発明は、シート給送装置及び画像形成装置に関し、特にシート収納手段を引き込む引き込み機能を有するものに関するものである。
【背景技術】
【０００２】
従来、シート収納カセットのようなシートを収納するシート収納手段を有するシート給送装置を備えた画像形成装置においては、装置本体の供給位置に配置されたシート収納カセットの内部に積載されたシートを順次画像形成部へ供給し、画像形成部においてシートへの画像形成を行っている。
【０００３】
ところで、シート収納カセットは、シート充填のため又はシートサイズ変更のためユーザーの手作業により装置本体に対して着脱されるが、シート収納カセットの装置本体に対する挿入動作を手動により行うとき、シートを充填したシート収納カセットが装置本体の正規の装着位置まで押し込まれない場合がある。そして、このような場合には、シート収納カセットが位置決めされず、この結果、シートに正確に画像形成されなかったり、搬送不良が発生したりすることがあった。
【０００４】
また、シート収納カセットの重量が大きくなると、挿入動作の際、ユーザーに大きな負担を与えるといった問題があった。さらに、シート収納カセットが重い場合、装置本体への挿入動作の際に勢いがつけられる事が多く、この場合、正規の装着位置に達したとき、この勢いによりシート収納カセットが装置本体に衝突し、積載されているシートの位置がズレるなどの問題も発生している。
【０００５】
ここで、これらの問題を解決する従来の手段の一例として、シート収納カセットの挿入が検知手段により検知されると、モータ等の駆動手段によってシート収納カセットを移送するカセット移送手段を駆動し、シート収納カセットを正規の装着位置へ自動移送することによりユーザーにシート収納カセットの挿入操作を行わせない構成のものが提案されている（例えば、特許文献１参照）。
【０００６】
しかしながら、上記の構成のものでは、装置本体の電源が入ってない場合、又は画像形成装置の使用が長時間なく、省エネルギーモードによる待機状態となり駆動手段への電力供給が行われない場合には、駆動手段を駆動できない、もしくは駆動手段を駆動させるにはエネルギーを貯蓄するチャージ機構が必要となり、装置自体が複雑で大きくなるといった問題がある。
【０００７】
そこで、これらの問題を解決する従来の手段の一例として、装置本体の所定の位置までシート収納カセットを挿入すると、モータ等の駆動手段を用いずにトグル機構（トグルバネ）により自動で正規の装着位置まで引き込むことができる機構が提案されている。これにより、電力供給が必要なくコンパクトな機構で操作性の改善が図られている（例えば、特許文献２参照）。
【０００８】
【特許文献１】特開平２−１９８９２５号公報
【特許文献２】特開平４−８５２２０号公報
【発明の開示】
【発明が解決しようとする課題】
【０００９】
しかしながら、このような従来のシート給送装置及びこれを備えた画像形成装置においては、シート収納カセットを装置本体に引き込むための力がトグルバネによって発生されるために容量が大きいシート収納カセットでは必要なバネ力が非常に大きくなるといった問題点があった。
【００１０】
さらに、シート収納カセットの引き込みの最終位置にシートサイズを検知するための検知手段が設けられている場合には、この検知手段によるシートサイズ検知のための負荷があり、これに打ち勝って引き込み動作を行うためにはトグルバネのバネ力を、さらに大きくする必要があった。
【００１１】
しかし、このようにトグルバネのバネ力を大きくした場合、確実にシート収納カセットを正規の装着位置に自動装着することはできるが、シート収納カセットをユーザーが装置本体から引き抜くときは、非常に強いトグルバネのバネ力以上の操作力が必要となり、操作性が悪化するといった課題が生じた。
【００１２】
そこで、本発明は、以上の課題に鑑みてなされたもので、シート収納カセット（シート収納手段）を、操作性を損なうことなく確実に正規の装着位置に自動装着することのできるシート給送装置及び画像形成装置を提供することを目的とするものである。
【課題を解決するための手段】
【００１３】
上記目的を達成するため、本発明は、シートを積載して昇降可能なシート積載板を有し、装置本体に対して着脱可能に設けられたシート収納手段を備えるシート給送装置において、前記シート収納手段の上方に設けられ、前記シート収納手段に収納されたシートを給送するシート給送手段と、前記シート収納手段に設けられ、前記シート積載板を押し上げて前記シート積載板に積載されたシートを前記シート給送手段に圧接させるためのリフト手段と、前記装置本体に設けられ、前記リフト手段に係合して駆動する加圧駆動手段と、を備え、前記シート収納手段を前記装置本体にセットする際に、前記リフト手段を前記加圧駆動手段に係合させ、前記リフト手段に伝達される前記加圧駆動手段の駆動力により前記シート積載板を押し上げ、かつ前記シート収納手段を装着位置の手前の所定位置から前記装着位置まで移送する移送力を発生させることを特徴とするものである。
【発明の効果】
【００１４】
本発明のように、シート収納手段を装置本体にセットする際、シート収納手段に設けられたリフト手段を装置本体に設けられた加圧駆動手段に係合させ、リフト手段に伝達される加圧駆動手段の駆動力によってシート収納手段を装着位置の手前の所定位置から装着位置まで移送する移送力を発生させることにより、シート収納手段を、操作性を損なうことなく確実に正規の装着位置に自動装着することができる。
【発明を実施するための最良の形態】
【００１５】
以下、本発明を実施するための最良の形態について図面を用いて詳細に説明する。
【００１６】
図５は、本発明の第１の実施の形態に係るシート給送装置を備えた画像形成装置の概略構成を示すものである。
【００１７】
図５において、１は画像形成装置本体である。また、１Ａは画像形成装置本体(以下、装置本体という)１に設けられ、電子写真方式により画像形成を行う画像形成部であり、１Ｃは画像形成部１ＡにシートＳを給送するシート給送装置である。
【００１８】
ここで、この画像形成部１Ａはトナー像を形成する感光体ドラム２、感光体ドラム２に形成されたトナー像をシートＳに転写する転写ローラ３などを備えている。そして、このような構成の画像形成部１Ａにおいて、画像形成動作が開始されると、まずレーザースキャナー４により画像信号に応じた光が感光体ドラム２に照射され、このような画像信号に応じた光が照射されることにより、感光体ドラム上に潜像が形成される。次に、この潜像をプロセスカートリッジ５内に収納されたトナーで現像することにより、感光体ドラム上にトナー画像（可視像）が形成される。
【００１９】
また、シート給送装置１Ｃは、シート収納手段である複数のシート収納カセット６と、シート収納カセット６の上方に設けられ、シート収納カセット６に収納されたシートＳを給送するシート給送手段である給送ローラ７ａとを備えており、このようなトナー画像形成動作に並行して給送ローラ７ａによりシート収納カセット６からシートＳを給送するようにしている。
【００２０】
そして、このようにシート収納カセット６から給送されたシートＳは、搬送ローラ７及びレジストローラ７Ａによって感光体ドラム２に形成された画像と同期をとって感光体ドラム２と転写ローラ３とにより構成される転写部に搬送される。そして、この転写部において、転写ローラ３へバイアスを印加することによってトナー画像がシートＳへ転写されるようになっている。
【００２１】
なお、このようなトナー画像が転写されたシートＳは、この後、定着手段８へ搬送され、この定着手段８において加熱されることによりトナー画像が定着され、さらにこの後、排出ローラ９によって装置上部の排出部１０へ排出される。
【００２２】
ここで、シート収納カセット６は、図１及び後述する図７に示すように装置本体１に設けられた、具体的にはシート給送装置本体内に設けられたシート収納カセット収容部１Ｂに収納され、スライドガイド１５に沿って着脱可能となっている。
【００２３】
また、このシート収納カセット６は、後述する図６に示すように、任意のシートのサイズに対応すべくスライド調節可能で、シートの幅方向の位置を規制するためのサイド規制板１１とシートの後端を規制するための後端規制板１２を備えている。なお、各段のシート収納カセット６は同じ構成である。
【００２４】
ところで、このシート収納カセット６の内部には、図１に示すように、シートＳを積載するシート積載板としての中板３３が上下方向に回動自在（昇降可能）に設けられており、この中板３３は、装置本体側に設けられる加圧駆動手段としての加圧給紙駆動ユニット３０と、シート収納カセット側に設けられるリフト手段３０Ａと、を備えたリフター機構３０Ｂにより給送ローラ側に押し上げられるようになっている。
【００２５】
なお、このリフト手段３０Ａは、シート収納カセット６の底面と中板３３との間に回動自在に設けられたリフトアーム３２と、このリフトアーム３２の一側端に立設されたリフトギア３１と、シート収納カセット６に設けられたカセットギア３４等により構成される。
【００２６】
なお、図２はシート収納カセット６が装置本体１に装着されたときの状態を示しており、このようにシート収納カセット６が装着されたとき、図１に示すように、リフト手段３０Ａが加圧給紙駆動ユニット３０に接続（係合）される。
【００２７】
そして、このようにリフト手段３０Ａと加圧給紙駆動ユニット３０が接続されることにより、この後、加圧給紙駆動ユニット３０が駆動されると、この加圧給紙駆動ユニット３０の駆動力がカセットギア３４によってリフトアーム３２に伝達され、リフトアーム３２が中板３３に下方から当接しながら上方回動する。これに伴い中板３３は給送ローラ側に回動し、これにより中板３３に積載されたシートＳが給送ローラ７ａ(図１参照)に圧接するようになっている。
【００２８】
図３は、このような加圧給紙駆動ユニット３０の構成を示す図であり、加圧給紙駆動ユニット３０は、カセットギア３４（図１参照）と噛みあい駆動力を伝達する駆動伝達ギア３５と、駆動伝達ギア３５を回転させる加圧モータ４０と、加圧モータ４０に設けられたウォームギア３９と、ウォームギア３９と接続されるラチェットギア３８等を備えている。
【００２９】
図３において、３６、３７は、駆動伝達ギア３５及び加圧モータ４０との間に配設された第１減速ギア、第２減速ギアであり、駆動伝達ギア３５にはウォームギア３９、ラチェットギア３８、ラチェット部を一体に備えた第２減速ギア３７、第１減速ギア３６を介して加圧モータ４０の駆動が伝達されるようになっている。なお、過剰な負荷が駆動伝達ギア３５等にかかったときにはラチェットギア３８と第２減速ギア３７との間で駆動が切れるようになっており、これにより加圧給紙駆動ユニット３０の破損を防止している。
【００３０】
ここで、本実施の形態のように、減速手段にウォームギア３９を設けることにより大きな減速比を得られるために、加圧給紙駆動ユニット３０をコンパクト化することが可能になっている。
【００３１】
また、本実施の形態において、カセットギア３４と駆動伝達ギア３５は、それぞれ図１、図３に示すようにハスバギアで構成されており、これにより駆動伝達ギア３５が回転すると、カセットギア３４には回転方向とハスバギアのネジレ角方向から、Ａ方向の力が発生するようになっている。
【００３２】
ところで、装置本体１には、シート収納カセット６が装置本体１に挿入された際、装着が完了する前にシート収納カセット６を検知する不図示の検知手段が設けられており、この検知手段がシート収納カセット６を検知すると、不図示の制御部により、加圧給紙駆動ユニット３０の内の加圧モータ４０が駆動されるようになっている。
【００３３】
さらに、このように加圧モータ４０が駆動されると、これに伴いウォームギア３９、ラチェットギア３８、第２減速ギア３７、第１減速ギア３６を介してハスバギアで構成されている駆動伝達ギア３５が駆動される。
【００３４】
そして、このように駆動伝達ギア３５が駆動されると、駆動伝達ギア３５と噛み合うと共に、駆動伝達ギア３５と同様にハスバギアで構成されているカセットギア３４には、図４に示す矢印Ａ方向、即ちシート収納カセット６を装置本体１に装着する方向に力が発生し、この力によりシート収納カセット６を確実に正規の装着位置まで移送させることができる。
【００３５】
このように、シート収納カセット６を装置本体１にセットする際、シート収納カセット６に設けられたリフト手段３０Ａを装置本体１に設けられた加圧給紙駆動ユニット３０に係合させ、リフト手段３０Ａに伝達される加圧給紙駆動ユニット３０の駆動力によりシート収納カセット６を装着位置の手前の所定位置から装着位置まで移送する移送力を発生させることにより、シート収納カセット６の装置本体１への挿入操作を自動化することができる。
【００３６】
これにより、大容量のシート収納カセット６でも、シート収納カセット６の操作性が向上し、且つシート収納カセット６を常に正規の装着位置に装着できるためシートに対する画像のズレ、またはジャム等のシート搬送不良等の問題の発生を防ぐことが可能となる。
【００３７】
なお、本実施の形態では、シート収納カセット６を移送する移送力を発生する手段として、リフト手段３０Ａのカセットギア３４及び加圧給紙駆動ユニット３０の駆動伝達ギア３５をハスバギアとした場合で説明を行ったが、これ以外にも、例えばカップリング手段を用い、カップリングの係合部を斜めに形成することでシート収納カセット６に挿入方向に移送力を発生させる構成でも良い。
【００３８】
次に、本発明の第２の実施の形態について詳細に説明する。
【００３９】
なお、以下第１の実施の形態と異なる箇所を詳細に説明し、その他の同じ構成の箇所については説明を省略する。
【００４０】
図６は、本実施の形態に係るシート給送装置に設けられたシート収納カセットの斜視図であり、このシート収納カセット６は、装着された際、装置本体１に設けられた、図７に示すカセット移送手段１６と噛み合うラック１３を備えている。そして、このシート収納カセット６は、図７に示すようにスライドガイド１５に沿って装置本体１に対して着脱可能となっている。
【００４１】
ここで、カセット移送手段１６は、シート収納カセット６を装置本体１にセットする際に、シート収納カセット６を引き込むためのものであり、シート収納カセット６が正規の装着位置の手前の所定位置まで挿入されたときにシート収納カセット６と係合し、シート収納カセット６が係合した状態からさらに挿入されると、挿入方向に移送力を発生するように構成されている。
【００４２】
なお、このカセット移送手段１６は、図８に示すように、シート収納カセット６に取り付けられたラック１３と噛み合い、動力を伝達する中間ギア１４と、移送駆動の動力源となるトグルバネ１７と、中間ギア１４と噛み合ってトグルバネ１７により発生した動力を伝達する駆動部材としての欠歯ギア１８と、欠歯ギア１８を支えるアーム１９とを備えている。
【００４３】
また、シート収納カセット６がカセット移送手段１６により引き込まれてきた際の速度調整及びユーザーがシート収納カセット６の挿入操作においてシート収納カセット６に勢いをつけて挿入された場合のブレーキとしてのピストン型エアダンパー２０を備えている。
【００４４】
ところで、このようなトグルバネ１７を用いたカセット移送手段１６では、図８に示すように基台２１に立てられた支点軸２２を回動支点として回転するアーム１９に支軸としてのバネ掛け軸Ａ２３が立てられ、このバネ掛け軸Ａ２３と基台２１に立てられた支軸としてのバネ掛け軸Ｂ２４の間にトグルバネ１７が係り、このトグルバネ１７の収縮力によりアーム１９は回転力を得ている。
【００４５】
そして、このようなカセット移送手段１６を備えることにより、シート収納カセット６は、挿入操作がユーザーにより行われ、シート収納カセット６の後側板に取り付けられたラック１３がシート収納カセット収容部１Ｂの奥側板に取り付けられたカセット移送手段１６の位置まで到達すると、残りの区間はカセット移送手段１６によりシート収納カセット６はシートの給送が可能な装着位置まで移送される。
【００４６】
なお、図９は、シート収納カセット６がシート収納カセット収容部１Ｂに装着され、カセット移送手段１６に達する直前の状態を示しており、この時、トグルバネ１７は、後述する図１０に示す支点軸２２、バネ掛け軸Ａ２３、バネ掛け軸Ｂ２４が一直線上に並ぶ中立点よりも、トレイ搬送力を発生する時とは中立点に対して反対方向にずれた位置にある。
【００４７】
また、図１０は、トグルバネ１７が、支点軸２２、バネ掛け軸Ａ２３、バネ掛け軸Ｂ２４が一直線上に並んだ状態を示しており、このとき、トグルバネ１７の伸びは最大となるがアーム１９の回転力は生まない中立状態となる。
【００４８】
そして、この中立状態を境にアーム１９に対して時計方向又は反時計方向にトグルバネ１７からの外力が加わり、中立状態の位置関係がくずれると、図１１に示すように中立状態が外れた方向にトグルバネ１７の収縮力によりアーム１９は回転し、その回転力はアーム１９により支持されている欠歯ギア１８より中間ギア１４に伝えられ、シート収納カセット６の移送力となる。
【００４９】
次に、このようなトグルバネ１７を用いたカセット移送手段１６のシート収納カセット引き込み動作について説明する。
【００５０】
まず、シート収納カセット６がシートの補給位置に引き出されたとき、カセット移送手段１６は、図９に示すような状態で待機している。なお、この時、トグルバネ１７はトレイ移送力を発生する時とは中立状態に対して反対方向（一方向）に少しずれた待機位置で図示しないストッパにより停止した状態であり、衝撃等の外的要因により中立状態を超えてアーム１９が回転してしまうことを防いでいる。
【００５１】
この状態で、シート収納カセット６がユーザーの操作によりシート収納カセット収容部内へ挿入され、図９に示すようにラック１３の先端が中間ギア１４と噛み合う位置に達し、さらに、シート収納カセット６が挿入されると、中間ギア１４が回転を開始し、その回転が欠歯ギア１８に伝達され、アーム１９は図１０に示される中立状態の位置へと回転移動する。
【００５２】
そして、さらにシート収納カセット６が挿入動作を受け、アーム１９が中立状態を超えて他方向まで回転されると、トグルバネ１７の荷重作用方向が反転し、アーム１９は図１１に示されるようにトグルバネ１７の収縮力により回転力を得て、欠歯ギア１８及中間ギア１４を介してラック１３に駆動が伝達され、シート収納カセット６が装着位置に向けて移送される。
【００５３】
なお、このようにシート収納カセット６の移送が開始されると、ピストン型ダンパー２０が作動し、シート収納カセット６の移送の速度調整を行う。また、このピストン型ダンパー２０はシート収納カセット６に勢いがついて挿入されてきた際にはブレーキとして作用する。
【００５４】
このように、シートを補給するための引き出し位置からシート収納カセット６が収納され、カセット移送手段１６のトグルバネ１７が中立状態から離れる位置までシート収納カセット６を移動させると、トグルバネ１７の収縮力によりシート収納カセット６の装着位置への引き込みが自動的に行なわれる。さらに、ピストン型エアダンパー２０により速度調整が行われる。
【００５５】
なお、シート収納カセット６が装置本体１に対して装着された状態ではトグルバネ１７の加圧により常に挿入方向に加圧されているため、シート収納カセット６が装置本体１から抜けることがない。
【００５６】
ところで、シート収納カセット６の引き込みの最終位置には、既述したように不図示の検知手段によるシートサイズ検知等の負荷があり、これに打ち勝って引き込み動作を行うためにはシート収納カセット６の引き込み力を大きくする必要がある。
【００５７】
そこで、本実施の形態では、第１の実施の形態と同じ構成の装置本体側に設けられる加圧給紙駆動ユニット３０と、シート収納カセット側に設けられるリフト手段３０Ａと、を備えたリフター機構３０Ｂを設けるようにしている。
【００５８】
そして、検知手段がシート収納カセット６を検知すると、不図示の制御部により、加圧給紙駆動ユニット３０の内の加圧モータ４０を駆動し、ウォームギア３９、ラチェットギア３８、第２減速ギア３７、第１減速ギア３６を介して駆動伝達ギア３５を駆動するようにしている。
【００５９】
ここで、このように駆動伝達ギア３５が駆動されると、図１及び図３に示すようにハスバギアで構成されているカセットギア３４と駆動伝達ギア３５は回転方向とハスバギアのネジレ角方向から、図１及び図４に示すＡ方向、つまりシート収納カセット６を装置本体１に装着する方向に力が発生するようになっている。
【００６０】
この構成により、カセット移送手段１６によりシート収納カセット６が十分に引き込まれない場合でも、中板３３を持上げるためにリフトアーム３２を回転させる駆動が伝達されると、その駆動によりシート収納カセット６が装置本体１の正規の装着位置に移動することになる。
【００６１】
これにより、トグルバネ１７のバネ力を強くしなくても確実にシート収納カセット６を装置本体１に収納することができるので、シート収納カセット６挿入の際のユーザー負担を軽減することができる。さらに、シート収納カセット６を引き出すときの操作力を小さくすることが可能となり、ユーザー負担を軽減することができる。
【００６２】
また、装着位置近傍で自動的にシート収納カセット６を確実に装着位置まで移動させることができるため、シート収納カセット６の装着不良の問題発生を防止でき、この結果、シート収納カセット６が正規の装着位置にない状態で給紙動作がされることにより発生するジャム等のシート給送不良を防止することができる。
【００６３】
なお、本発明は上記実施の形態に限定されるものではなく、例えば、中間ギア１４を用いずに直接ラック１３と欠歯ギア１８とを噛み合わせるようにしてもよい。この場合には、上記実施の形態に対してトグルバネ１７によるアーム１９の回転方向が逆になるように構成される。
【図面の簡単な説明】
【００６４】
【図１】本発明の第１の実施の形態に係るシート給送装置のシート収納カセットに設けられたリフト手段と、装置本体に設けられた加圧給紙駆動ユニットが接続されたときの状態を示す斜視図。
【図２】上記シート収納カセットが装置本体に装着されたときの状態を示す斜視図。
【図３】上記加圧給紙駆動ユニット内部の詳細図。
【図４】上記リフト手段と加圧給紙駆動ユニットに設けられたギアの噛み合い状態を示す図。
【図５】上記シート給送装置を備えた画像形成装置の概略構成を示す図。
【図６】本発明の第２の実施の形態に係るシート給送装置に設けられたシート収納カセットの斜視図。
【図７】上記シート収納カセットが装置本体から引き出された状態を示す斜視図。
【図８】上記シート給送装置に設けられたカセット移送手段の斜視図。
【図９】上記カセット移送手段のシート収納カセット移送開始待機状態を示す上面図。
【図１０】上記カセット移送手段においてトグルバネが中立状態に位置した状態を示す上面図。
【図１１】上記カセット移送手段がシート収納カセットを給送位置まで移送した状態を示す上面図。
【符号の説明】
【００６５】
１        画像形成装置本体
１Ａ      画像形成部
１Ｂ      シート収納カセット収容部
１Ｃ      シート給送装置
６        シート収納カセット
７ａ      給送ローラ
１３      ラック
１６      カセット移送手段
１７      トグルバネ
１８      欠歯ギア
２０      ピストン型エアダンパー
２２      支点軸
２３      バネ掛け軸Ａ
２４      バネ掛け軸Ｂ
３０      加圧給紙駆動ユニット
３０Ａ    リフト手段
３０Ｂ    リフター機構
３２      リフトアーム
３３      中板
３４      カセットギア
３５      駆動伝達ギア
４０      加圧モータ
Ｓ        シート
【図１】
2006298589.tif 000003
【図２】
2006298589.tif 000004
【図３】
2006298589.tif 000005
【図４】
2006298589.tif 000006
【図５】
2006298589.tif 000007
【図６】
2006298589.tif 000008
【図７】
2006298589.tif 000009
【図８】
2006298589.tif 000010
【図９】
2006298589.tif 000011
【図１０】
2006298589.tif 000012
【図１１】
2006298589.tif 000013